(57)【要約】【課題】電極板が発熱体側面において充分に絶縁された電気式ヒータを提供しようとすること。【解決手段】放熱フィン３２、発熱素子３３０と該発熱素子３３０を保持する絶縁性発熱素子保持具５、電極板３１を積層して構成した発熱体３を有する。電極板３１は、発熱体３の側面から突出した接続端子３１１を有し、絶縁性発熱素子保持具５は、発熱素子３３０を保持する素子保持部と、接続端子３１１を保持する端子保持部とを有し、端子保持部は、発熱体３の積層方向に突出した絶縁壁部と絶縁壁部間を橋渡しする板部とからなる絶縁保持溝を有し、絶縁保持溝において、接続端子３１１は絶縁壁部の内側に挟持されると共に、側部フレーム１は、絶縁壁部の外側から端子保持部を挟持してなり、絶縁壁部が接続端子３１１と側部フレーム１との間にあって両者を絶縁する。【選択図】図１
2005108809.tif 000002
【特許請求の範囲】
【請求項１】
放熱フィン、通電により発熱する発熱素子と該発熱素子を保持する絶縁性発熱素子保持具、上記発熱素子に電力を印加する電極板を積層して構成した発熱体を有し、被加熱媒体が上記放熱フィンの近傍を通過する電気式ヒータであって、
該電気式ヒータは、上記発熱体の積層方向両端面に第１及び第２保持フレームを有すると共に、上記発熱体の両側面にそれぞれ側部フレームを有しており、
上記電極板は、上記発熱体の側面から突出した接続端子を有しており、
上記絶縁性発熱素子保持具は、上記発熱素子を保持する素子保持部と、上記接続端子を保持する端子保持部とを有し、かつ上記端子保持部は、発熱体の積層方向に突出した一対の絶縁壁部と一対の絶縁壁部間を橋渡しする板部とからなる絶縁保持溝を有しており、
上記絶縁保持溝において、上記接続端子は一対の絶縁壁部の内側に挟持されると共に、上記側部フレームは、一対の絶縁壁部の外側から上記端子保持部を挟持してなり、上記絶縁壁部が上記接続端子と上記側部フレームとの間にあって両者を絶縁することを特徴とする電気式ヒータ。
【請求項２】
請求項１において、上記絶縁性発熱素子保持具の素子保持部は、上記発熱体の積層方向に突出した一対の壁部と該一対の壁部間を橋渡しする板部とからなり、上記絶縁性発熱素子保持具と積層方向に隣接する上記放熱フィン又は上記電極板の少なくとも一方を保持する保持溝を有することを特徴とする電気式ヒータ。
【請求項３】
放熱フィン、通電により発熱する発熱素子と該発熱素子を保持する絶縁性発熱素子保持具、上記発熱素子に電力を印加する電極板を積層して構成した発熱体を有し、被加熱媒体が上記放熱フィンの近傍を通過する電気式ヒータであって、
該電気式ヒータは、上記発熱体の積層方向両端面に第１及び第２保持フレームを有すると共に、上記発熱体の両側面にそれぞれ側部フレームを有しており、
上記絶縁性発熱素子保持具は、上記積層方向における表面に、上記電極板を配置するための保持溝を有していると共に、上記側部フレームと対向する側面に、該側部フレームを挿入配置するための保持凹部を有しており、
上記電極板は、上記絶縁性発熱素子保持具の正面方向に突出してなる接続端子を有しており、
上記電極板と上記側部フレームとは、上記絶縁性発熱素子保持具によって絶縁されていることを特徴とする電気式ヒータ。
【発明の詳細な説明】
【技術分野】
【０００１】
本発明は、正特性のサーミスタ等を発熱素子として採用する電気式ヒータに関する。
【背景技術】
【０００２】
図２３に示すごとく、略平行に配置された一対の第１及び第２取付フレーム９１、９２と、該第１及び第２取付フレーム９１、９２と直行し、かつ第１及び第２取付フレーム９１、９２の両端にそれぞれ配置した側面取付フレーム９３、９４とによって保持され、上記第１及び第２及び側面取付フレーム９１〜９４によって形成された平面内に発熱体９５を配置した電気式ヒータ９が知られている。
上記発熱体９５は、相互に略平行に放熱フィン９５１、発熱要素９５２、該発熱要素９５２に電力を印加する電極板９５３を積層してなる。第１及び第２取付フレーム９１、９２は発熱体９５の積層方向と略直行し、側面取付フレーム９３、９４は積層方向と略平行する。
上記電気式ヒータ９において、第１取付フレーム９１と発熱体９５の上側の端面との間、第２取付フレーム９２と発熱体９５の下側の端面との間には、それぞれ発熱体９５の積層方向、外部から内部に向かう弾性力（復元力）を発揮するばね材９１０、９２０を配置する。
【０００３】
電気式ヒータ９において、電極板９５３から発熱要素９５２に電力が印加されて、発熱要素９５２が発熱する。発熱要素９５２で発生した熱は電極板９５３を介して放熱フィン９５１に熱伝導し、放熱フィン９５１から該放熱フィン９５１近傍を通過する被加熱媒体に熱伝導が生じることで、電気式ヒータ９が機能する。
以下の特許文献１はラジエータに関する発明であるが、図２３と同様の構成とばね材による効果を備えている。
【０００４】
【特許文献１】特許第３２７４２３４号公報
【発明の開示】
【発明が解決しようとする課題】
【０００５】
ところで、発熱要素への電力供給は電極板を介して行うため、図２３にかかる電気式ヒータ９では、電極板９５３の端部と電気的に導通した突出部９５４を設けてあり、ここを通じて外部から電力を印加する。従って、上記突出部９５４に関して、他の部材との間で絶縁が保持されるような構成を付加する必要があった。
【０００６】
本発明は、かかる従来の問題点に鑑みてなされたもので、電極板が発熱体側面において充分に絶縁された電気式ヒータを提供しようとするものである。
【課題を解決するための手段】
【０００７】
第１の発明は、放熱フィン、通電により発熱する発熱素子と該発熱素子を保持する絶縁性発熱素子保持具、上記発熱素子に電力を印加する電極板を積層して構成した発熱体を有し、被加熱媒体が上記放熱フィンの近傍を通過する電気式ヒータであって、
該電気式ヒータは、上記発熱体の積層方向両端面に第１及び第２保持フレームを有すると共に、上記発熱体の両側面にそれぞれ側部フレームを有しており、
上記電極板は、上記発熱体の側面から突出した接続端子を有しており、
上記絶縁性発熱素子保持具は、上記発熱素子を保持する素子保持部と、上記接続端子を保持する端子保持部とを有し、かつ上記端子保持部は、発熱体の積層方向に突出した一対の絶縁壁部と一対の絶縁壁部間を橋渡しする板部とからなる絶縁保持溝を有しており、
上記絶縁保持溝において、上記接続端子は一対の絶縁壁部の内側に挟持されると共に、上記側部フレームは、一対の絶縁壁部の外側から上記端子保持部を挟持してなり、上記絶縁壁部が上記接続端子と上記側部フレームとの間にあって両者を絶縁することを特徴とする電気式ヒータにある（請求項１）。
【０００８】
本発明にかかる電気式ヒータは、端子保持部の絶縁保持溝における一対の絶縁壁部の内側に電極板の接続端子を保持し、また一対の絶縁壁部の外側から側部フレームが上記端子保持部を挟持するよう構成する。
これにより、側部フレームを導電性のある材料を用いて構成した場合でも、絶縁壁部が接続端子と側部フレームとの間に位置して両者を絶縁するため、発熱体側面において、電極板に関して充分な絶縁状態を確保することができる。
【０００９】
以上、本発明によれば、電極板が発熱体側面において充分に絶縁された電気式ヒータを提供することができる。
【００１０】
第２の発明は、放熱フィン、通電により発熱する発熱素子と該発熱素子を保持する絶縁性発熱素子保持具、上記発熱素子に電力を印加する電極板を積層して構成した発熱体を有し、被加熱媒体が上記放熱フィンの近傍を通過する電気式ヒータであって、
該電気式ヒータは、上記発熱体の積層方向両端面に第１及び第２保持フレームを有すると共に、上記発熱体の両側面にそれぞれ側部フレームを有しており、
上記絶縁性発熱素子保持具は、上記積層方向における表面に、上記電極板を配置するための保持溝を有していると共に、上記側部フレームと対向する側面に、該側部フレームを挿入配置するための保持凹部を有しており、
上記電極板は、上記絶縁性発熱素子保持具の正面方向に突出してなる接続端子を有しており、
上記電極板と上記側部フレームとは、上記絶縁性発熱素子保持具によって絶縁されていることを特徴とする電気式ヒータにある（請求項３）。
【００１１】
本発明においては、上記絶縁性発熱素子保持具は、上記保持溝及び保持凹部を有している。そして、保持溝は電極板を保持することができ、保持凹部は側部フレームを保持することができる。
これにより、側部フレームを導電性のある材料を用いて構成した場合でも、絶縁性発熱素子保持具の一部が電極板と側部フレームとの間に位置して両者を絶縁するため、電極板に関して充分な絶縁状態を確保することができる。
なお、正面方向とは、側方（横方向）及び積層方向と直交する方向のことをいう。
また、本発明の電気式ヒータにおいては、電極板の接続端子を正面方向に取り出しており、発熱体の側方（横方向）にスペースの制約がある場合でも、適切に接続端子を取り出すことができる。
【００１２】
以上、本発明によれば、電極板が充分に絶縁された電気式ヒータを提供することができる。
【発明を実施するための最良の形態】
【００１３】
本発明の電気式ヒータは、発熱素子として、ＰＴＣ（Positive Temperature Coefficient）素子を用いることができる。ＰＴＣ素子は、特定の温度以上で急速に電気抵抗が増大する性質をもった素子で、そのため通電により発熱するが、発熱する温度が所定の温度を越えると電気抵抗が高くなりすぎて電流が殆ど流れなくなり、ある程度の温度以上に発熱することがない。よって、この素子を用いることにより、ヒータを効果的に発熱させることができると共に、ヒータの過熱を防ぐことができる。
【００１４】
本発明にかかる絶縁性発熱素子保持具は、例えばナイロン、ＰＰＳ樹脂からなることが好ましい。
本発明にかかる側部フレームや端子保持部の具体的な形状について説明すると、例えば後述する図４に示すごとく、側部フレームは本体部が環状に構成され、該本体部に上記端子保持部を差し込んで、端子保持部における絶縁壁部の外側と本体部の内周面とが接触すると共に、本体部を端子保持部に対し固定することができる。端子保持部は発熱体の側面から突出しているため、端子保持部において側部フレームを固定することで、側部フレームを発熱体の側面に固定することができる。
【００１５】
また、側部フレームを金属製のバネ材から構成することで、発熱体に積層方向に力を与えて、発熱体の積層方向一体化を図ることができる。
このように側部フレームが金属製である場合、側部フレームと電極板との間で確実に絶縁を取る必要がある。その場合、本発明にかかる構成は、側部フレームと電極板との絶縁を容易に確保することができるため、望ましい。
また、側部フレームで発熱体の積層方向一体化を実現することで、発熱体に積層方向の力を加える部材として、側部フレーム以外の別部材を設ける必要がなくなり、部品点数を減らし、組み立て工数を減らすことができるため好ましい。
また、端子保持部の絶縁壁部は、電極板の厚みより高いことが好ましい。これにより、端子保持部に接続端子を配置した際に、積層方向に接続端子が露出することを防いで、絶縁性をより確かにすることができる。
【００１６】
また、上記絶縁性発熱素子保持具の素子保持部は、上記発熱体の積層方向に突出した一対の壁部と該一対の壁部間を橋渡しする板部とからなり、上記絶縁性発熱素子保持具と積層方向に隣接する上記放熱フィン又は上記電極板の少なくとも一方を保持する保持溝を有することが好ましい（請求項２）。
これにより、放熱フィン及び電極板の積層ずれを防止することができる。
また、絶縁性発熱素子保持具に設けた保持溝においては、放熱フィンと共に電極板を保持することができる。また、保持溝は積層方向の両端に向かって開口するように絶縁性発熱素子保持具に設けることができる。具体的には、絶縁性発熱素子保持具の断面形状がＨ型（後述する図７、図８参照）となるように構成することができる。一方の保持溝で放熱フィンを保持し、他方の保持溝で電極板及び放熱フィンを保持することができる。
【実施例】
【００１７】
（実施例１）
本例の電気式ヒータ１は、図１〜図３に示すごとく、放熱フィン３２、通電により発熱する発熱素子３３０と該発熱素子３３０を保持する絶縁性発熱素子保持具５（以下、保持具５と略する）、上記発熱素子３３０に電力を印加（供給）する電極板３１、第１及び第２絶縁体４１、４２を積層して構成した発熱体３を有し、該発熱体３の積層方向両端面３０１、３０２と該両端面３０１、３０２と交差する両側面３０３、３０４とによって張られた一方の面３０５から他方の面３０６に向かって被加熱媒体が上記放熱フィン３２の近傍を通過する。
上記発熱体３の積層方向両端面３０１、３０２には第１及び第２保持フレーム２１、２２を設け、上記発熱体３の両側面３０３、３０４には側部フレーム１を設ける。
【００１８】
上記電極板３１は、上記発熱体３の側面３０４から突出し、図示を略した外部電源と電気的に接続可能な接続端子３１１を有する。
図５〜図１４に示すごとく、上記保持具５は、上記発熱素子３３０を保持する素子保持部５１と、上記接続端子３１１を保持する端子保持部５２とを有し、かつ上記端子保持部５２は、発熱体３の積層方向（図７や図８等は図面における上下方向に一致）に突出した一対の絶縁壁部５２１と一対の絶縁壁部５２１間を橋渡しする板部５２０とからなる絶縁保持溝５２６を有する。
上記絶縁保持溝５２６において、上記接続端子３１１は一対の絶縁壁部５２１の内側に挟持されると共に、上記側部フレーム１は、一対の絶縁壁部５２１の外側から上記端子保持部５２を挟持してなり、上記絶縁壁部５２１が上記接続端子３１１と上記側部フレーム１との間にあって両者を絶縁する。
【００１９】
以下、詳細に説明する。
図１に示すごとく、本例の電気式ヒータ２は、発熱素子３３０の熱が放熱フィン３２に伝導し、被加熱媒体（例えば空気等）が発熱体３の面３０５から面３０６に向かって通過する際に放熱フィン３２から熱を受け取り、被加熱媒体の温度が上昇する。
【００２０】
本例の発熱体３は、図１、図２、図３に示すごとく、電極板３１、放熱フィン３２及び保持具３３を順次複数積層してなる。より具体的には、発熱体３は、第１絶縁体４１、電極板３１、放熱フィン３２、発熱素子３３０を保持した保持具５、電極板３１、放熱フィン３２・・・放熱フィン３２、第２絶縁体４２の順に積層してなる。また、発熱体３は、５枚の電極板３１、５個の放熱フィン３２、４個の発熱素子３３０を保持する４個の保持具３３からなる。また、各保持具５は、積層方向上側において放熱フィン３２を保持し、積層方向下側において電極板３１及び放熱フィン３２を保持する。
【００２１】
また、発熱体３の左右の側面３０３、３０４に側部フレーム１を配置し、該側部フレーム１の外方からケース２３、２４を配置する。
なお、図３は、側面３０４から突出する端子保持部５２や接続端子３１１等の記載を省略し、発熱体３における各部品の積層状態のみを示した概略図である。
【００２２】
放熱フィン３２は、図１、図２に示すごとく、２個のＬ字型枠３２１、３２２と薄い波型板３２０とからなり、２個のＬ字型枠３２１、３２２で囲まれた方形の空間に上記波型板３２０を収納してなる。Ｌ字型枠３２１、３２２と波型板３２０はロウ付けで一体化する。ここでＬ字型枠３２１、３２２及び波型板３２０はそれぞれ共にアルミニウムよりなる。
また、電極板３１は、長細い平型金属板で黄銅からなり、本体板３１２と該本体板３１２の一方の端部から後述するメスターミナル２６１を接続可能な接続端子３１１が突出形成されてなる。なお、接続端子３１１は、本体板３１２側が幅狭で、先端側は幅広である。幅狭の部分が上記端子保持部５２において保持される領域となる。
【００２３】
発熱素子３３０を保持する保持具５について説明する。
発熱素子３３０はチタン酸バリウム磁器半導体のＰＴＣ素子からなる。保持具５は、絶縁性のナイロンからなる。
保持具５は、図５に示すごとく、発熱素子３３０を保持する素子保持部５１と、該素子保持部５１より幅狭で、上記素子保持部５１の側部、更に発熱体３の側面３０４から突出して、上記電極板３１の接続端子３１１を案内して保持する端子保持部５２と、該端子保持部５２と反対側の側部から突出した突出部５３とからなる。端子保持部５２と突出部５３は発熱体３の組立を容易とするため同形状で、保持具５全体が左右対称形状である。また、素子保持部５１、端子保持部５２、突出部５３はいずれも断面Ｈ型である。
【００２４】
素子保持部５１は、図５〜図７に示すごとく、発熱体３の積層方向に突出した一対の壁部５１１と一対の壁部５１１間を橋渡しする板部５１０とからなり、保持具５と積層方向上側で隣接する放熱フィン３２を保持し、積層方向上側に開口した保持溝５１５を有する。板部５１０には発熱素子３３０を保持する保持穴５１９を４個設けてある。
素子保持部５１は断面Ｈ型であり、積層方向下側に開口した保持溝５１６が上記壁部５１１と板部５１０によって形成される。この保持溝５１６が電極板３１の本体板３１２を保持する。
また、端子保持部５２は、図５、図６、図８、図１３、図１４に示すごとく、発熱体３の積層方向に突出した一対の絶縁壁部５２１と一対の絶縁壁部５２１間を橋渡しする板部５２０とからなり、保持具５と積層方向下側で隣接する接続端子３１１を案内して保持し、積層方向上側に開口した保持溝５２５を有する。
また、壁部５１１、絶縁壁部５２１の高さは本体板３１２、接続端子３１１の厚みよりも大きいため、図１４に示したように、電極板３１を確実に絶縁保持することができる。
【００２５】
図１、図２、図３に示すごとく、第１絶縁体４１は発熱体３の積層方向における最端に位置する電極板３１と第１保持フレーム２１との間を絶縁し、第２絶縁体４２は発熱体３の積層方向における最端に位置する放熱フィン３２と第２保持フレーム２２との間を絶縁する。
図９に示すごとく、第１絶縁体４１は本体保持部４０１、端子保持部４０２、突出部４０３とからなる。本体保持部４０１は、積層方向下側で隣接する電極板３１を保持可能に構成した溝型で、電極板３１の本体板３１２を保持する、一対の壁部４１１と一対の壁部４１１の間を橋渡しする板部からなる保持溝を有する。
端子保持部４０２は、本体保持部４０１よりも幅細で、発熱体３の側面３０４から突出し、電極板３１の接続端子３１１を保持する、一対の絶縁壁部４１２と一対の絶縁壁部４１２の間を橋渡しする板部からなる保持溝を有する。
突出部４０３は、端子保持部４０２と同形状で、端子保持部４０２の反対側の端部にある。
図示を略したが、第２絶縁体４２は、第１絶縁体４１と同形状で、積層方向上側で隣接する放熱フィン３２を保持可能な溝型である。
【００２６】
図１、図１０に示すごとく、第１及び第２保持フレーム２１、２２は断面四角形の筒型中空部材で、発熱体３の側面に向かう開口部２１３、２１４、２２３、２２４を有する。また、後述するケース２３、２４の係合片２３５、２４５と係合する係合穴２１７、２１８、２２７、２２８を長手方向両端に有する。
また、図１、図４に示すごとく、側部フレーム１は、対向する一対の第１及び第２固定片１１、１２と、上記第１及び第２固定片１１、１２の間を橋渡しする環状の支持部１０とからなるコ字状枠体からなる。
【００２７】
第１及び第２固定片１１、１２は、支持部１０から延びる基端部１１１、１２１と該基端部１１１、１２１から更に延びる先端部１１３、１２３とからなり、上記基端部１１１、１２１と上記先端部１１３、１２３との間に、上記発熱体３の端面３０１、３０２の長手方向に沿って断面Ｖ字状に屈曲され、かつ第１及び第２保持フレーム２１、２２の外側から内側に向けて屈曲された屈曲部１１２、１２２を有する。
上記基端部１１１、１２１は、支持部１０の両端から緩やかなカーブ状に延び、先端部１１３、１２３は直線状に延びた部材である。基端部１１１、１２１と先端部１１３、１２３との境界で、第１、第２固定片１１、１２はく字状に折れ曲がり、この部分が曲折部１１２、１２２となる。
【００２８】
上記側部フレーム１は、支持部１０を発熱体３の側面３０３、３０４に対面し、第１固定片１１を第１保持フレーム２１に、第２固定片１２を第２保持フレーム２２に、それぞれ開口部２１３、２１４、２２３、２２４から差し込む（図１２参照）ことで固定する。
ここで屈曲部１１２において、第１保持フレーム２１の内側面２１９に第１固定片１１の屈曲部１１２を、第２保持フレーム２２の内側面２２９に第２固定片１２の屈曲部１２２をそれぞれ接触させる。
【００２９】
支持部１０は環状である。図１３、図１４、図１１に示すごとく、側部フレーム１を発熱体３に固定する際に、環状の支持部１０の内周面１０１が端子保持部５２の絶縁壁部５２１の外側から接触して、端子保持部５２を挟持する。なお、符号１０２は支持部の外周面１０２である。
また、側部フレーム１はばね鋼であるＳＫ５から構成され、部材全体がばねとして機能する。すなわち、側部フレーム１は、一対の固定片１１、１２同士の間の距離を縮小させる方向に付勢力を作用させるよう構成されており、一対の固定片１１、１２の間に、第１及び第２保持フレーム２１、２２を介して、発熱体３を挟み込むことにより、発熱体３を積層方向に保持するよう構成されている。
【００３０】
本例の電気式ヒータ１は、上記側部フレーム１の側面の外方から被冠するケース２３、２４を有する。
図１の左方のケース２３は、側面形状が長方形で、側部フレーム１側に延びる内側係合片２３５を備え、該内側係合片２３５が第１、第２保持フレーム２１、２２の左方の係合穴２１７、２２７と係合する。
図１の右方のケース２４は、両端にそれぞれ鍔部２４１を有し、側部フレーム１側に延びる内部係合片２４５、ケース２４を貫通し、上記電極板３１の接続端子３１１を挿入して、これを外部に引き出す挿入溝２４９を有する。
また、ケース２４は、発熱体３の外方側に上記接続端子３１１と接続するメスターミナル２６１を挿入するターミナル用スリット２４０を有する。
また、ケース２４は、上記メスターミナル２６１を挿入すると共に上記ケース２４の外方から被せてメスターミナル２６１を保護収納する保護ケース２５を有する。
なお、メスターミナル２６１から延びるリード線２６２は、電気式ヒータ２の外部電源（図示略）に接続するソケット２６３、２６４を有する。
【００３１】
本例の電気式ヒータ２の組立てについて説明する。
発熱素子３３０を保持具５に組込み、図１に示すごとく、第１絶縁体４１、電極板３１、放熱フィン３２、発熱素子３３０を保持した保持具５、電極板３１、放熱フィン３２・・・放熱フィン３２、第２絶縁体４２の順に積層する。
そして、第１及び第２絶縁体４１、４２の両端に、第１保持フレーム２１、第２保持フレーム２２を配置する。この時、図１０に示すごとく、保持具５、第１、第２絶縁体４１、４２が放熱フィン３２や電極板３１を保持し、これらが面３０５や面３０６の方向に飛び出ないようにして、発熱体３の積層状態を安定させる。
発熱体３において、図１１、図１２に示すごとく、側面３０４から第１、第２絶縁体４１、４２、保時具５の端子保持部４１２、５２が突出する。また、図示を略したが、発熱体３の側面３０３から、第１、第２絶縁体４１、４２、保持具５の突出部４０３、５３が突出する。
【００３２】
次に、側部フレーム１を発熱体３の側面３０４に組付ける。
図１２（ａ）、（ｂ）に示すごとく、第１及び第２保持フレーム２１、２２の発熱体３側の内壁面２１９、２２９間の距離Ｌ１よりも、屈曲部１１２、１２２の距離Ｌ０が大きくなるように側部フレーム１を変形させる。
図１２（ｂ）に示すごとく、変形した側部フレーム１の第１及び第２固定片１１、１２を発熱体３の側面３０４側から第１及び第２保持フレーム２１、２２の開口部２１４、２２４に差し込む。側部フレーム１は、自由状態では、（屈曲部１１２、１２２の距離Ｌ０）＜（内壁面２１９、２２９間の距離Ｌ１）であり、従って、図５（ｃ）に示すごとく、屈曲部１１２、１２２が内壁面２１９、２２９と当接しつつ、積層方向内側への圧縮力が内壁面２１９、２２９に作用して、側部フレーム１が第１、第２保持フレーム２１、２２に固定される。
【００３３】
この時、発熱体３の側面３０４において、側部フレーム１の環状の本体部１０は、図１３、図１４に示すごとく、内周面１０１が発熱体３の側面３０４から飛び出した端子保持具４０２、５２の絶縁壁部４１２、５２１に外側から当接し、これを挟持することで、固定される。
そして、接続端子３１１と側部フレーム１の本体部１０の内側面１０１とが対面する範囲では、必ず、絶縁壁部５２１、４１２が両者の間に位置することとなって、両者の間で絶縁が確保できる。
なお、発熱体３の側面３０３側について図示は省略したが、側面３０４と同様に、側部フレーム１の環状の本体部１０の内周面１０１が側面３０３から突出した突出部４０３、５３に外側から当接して、これを挟持することで、固定される。
【００３４】
次いで、上記側部フレーム１の外方から、ケース２３、２４を被冠し、更にケース２４の外方に保護ケース２５を被冠する。
ケース２３、２４はそれぞれ係合片２３５、２４５を有し、これら係合片２３５、２４５が第１保持フレーム、第２保持フレーム２１、２２の係合穴２１７、２１８、２２７、２２８と係合することで、ケース２３、２４が固定される。
この時、ケース２４の挿入溝２４９に、電極板３１の接続端子３１１を挿入し、該接続端子３１１をケース２４及び保護ケース２５との間でメスターミナル２６１と固定する。
【００３５】
本例にかかる電気式ヒータ２は、端子保持部５２の絶縁壁部５２１からなる絶縁保持溝５２６の内側に電極板３１の接続端子３１１を保持し、また絶縁壁部５２１の外側から側部フレーム１が上記端子保持部５２を挟持するよう構成する。
これにより、絶縁壁部５２１が接続端子３１１と側部フレーム１との間に位置して両者を絶縁するため、発熱体３の側面３０４において、電極板３１に関して充分な絶縁状態を確保することができる。
【００３６】
以上、本例によれば、電極板３１が発熱体３の側面において充分に絶縁された電気式ヒータ２を提供することができる。
【００３７】
（実施例２）
本例は、図１５〜図２２に示すごとく、電極板３１の絶縁状態を充分に確保することができる他の電気式ヒータ２を示す例である。
図１５〜図１８に示すごとく、本例の絶縁性発熱素子保持具（以下に単に保持具という。）５は、発熱体３の積層方向における表面に、電極板３１を配置するための保持溝５５を有していると共に、各側部フレーム１、１９と対向する側面に、各側部フレーム１、１９を挿入配置するための保持凹部５４をそれぞれ有している。そして、保持溝５５は電極板３１を保持することができ、各保持凹部５４は各側部フレーム１、１９をそれぞれ保持することができる。
【００３８】
また、図１５、図１７に示すごとく、本例の保持具５は、上記保持溝５５と保持凹部５４との間に、電極板３１と各側部フレーム１、１９との間の絶縁を行うための絶縁肉部５６を形成してなる。そして、電極板３１と各側部フレーム１、１９とは、保持具５の絶縁肉部５６によって絶縁されている。
これにより、各側部フレーム１、１９を導電性のある材料を用いて構成した場合でも、保持具５の絶縁肉部５６が電極板３１と各側部フレーム１、１９との間に位置して両者を絶縁するため、電極板３１に関して充分な絶縁状態を確保することができる。
【００３９】
図１５、図１７に示すごとく、本例の発熱体３は、発熱フィン３２、電極板３１及び保持具５を積層してなる発熱ユニット３０を複数段に積み重ねてなる。具体的には、本例の発熱体３は、発熱ユニット３０を５段に積み重ねてなる。
そして、発熱体３は、各側部フレーム１、１９の本体部１０を各保持具５の保持凹部５４に挿通配置し、各側部フレーム１、１９の一対の固定片１１、１２が、第１及び第２保持フレーム２１、２２を介して、各発熱ユニット３０の積層状態を付勢することにより、一体化されている。
なお、図１５は、側部フレーム１を各保持具５の保持凹部５４に挿通配置した状態を示し、図１６は、側部フレーム１を各保持具５の保持凹部５４に挿通配置する前の状態を示す。
【００４０】
また、図１８に示すごとく、各保持具５は、上記積層方向における両表面に保持溝５５を有しており、一方側（本例では上側）の保持溝５５に発熱フィン３２の端部及び電極板３１を保持していると共に、他方側（本例では下側）の保持溝５５に他の発熱フィン３２の端部を保持している。
また、各保持溝５５は、発熱体３の積層方向に突出した一対の壁部５５１と一対の壁部５５１間を橋渡しする板部５５０とによって形成されている。
【００４１】
また、図１５、図１９に示すごとく、上側の保持溝５５を形成する壁部５５１の一部には、上記電極板３１の接続端子３１１を挿通配置するための切欠き部５５２が形成されている。また、本例の電極板３１は、保持具５の正面方向に突出してなる接続端子３１１を有している。そして、この接続端子３１１は、切欠き部５５２に挿通配置されて、保持具５の正面方向に突出している。
また、本例の電極板３１は、略平板形状を有しており、本体板３１２と接続端子３１１とは、略同一面を形成している。また、接続端子３１１は、保持具５の正面方向に突出するために、本体板３１２に対して屈曲形成されており、本体板３１２と共にＬ形状を形成している。
これにより、電極板３１の接続端子３１１を正面方向に取り出すことができ、発熱体３の側方（横方向）にスペースの制約がある場合でも、適切に接続端子３１１を取り出すことができる。また、電気式ヒータ２の横方向の寸法を小さくすることができる。
【００４２】
また、電極板３１の接続端子３１１は、以下の形状にすることもできる。
すなわち、図２０〜図２２に示すごとく、電極板３１の接続端子３１１は、本体板３１２に対して略直角に起立するよう形成することもできる。そして、この場合には、この略直角に起立した状態の接続端子３１１を、保持具５の正面方向に突出させることができる。また、この場合には、接続端子３１１の横方向の長さを小さくすることができ、接続端子３１１が、横方向において占有するスペースを小さくすることができる。
本例においても、電極板３１が充分に絶縁された電気式ヒータ２を提供することができる。また、本例においても、その他の構成は上記実施例１と同様であり、上記実施例１と同様の作用効果を得ることができる。
【図面の簡単な説明】
【００４３】
【図１】実施例１にかかる、電気式ヒータの斜視展開図。
【図２】実施例１にかかる、電気式ヒータの平面図。
【図３】実施例１にかかる、発熱体の模式図。
【図４】実施例１にかかる、側部フレームの斜視図。
【図５】実施例１にかかる、絶縁性発熱素子保持具と発熱素子との説明図。
【図６】実施例１にかかる、絶縁性発熱素子保持具の平面図。
【図７】実施例１にかかる、絶縁性発熱素子保持具の素子保持部の断面図（図７のＡ−Ａ矢視断面図）。
【図８】実施例１にかかる、絶縁性発熱素子保持具の端子保持部の断面図（図７のＢ−Ｂ矢視断面図）。
【図９】実施例１にかかる、第１絶縁体の斜視図。
【図１０】実施例１にかかる、電気式ヒータの発熱体積層方向の断面説明図。
【図１１】実施例１にかかる、発熱体の側面付近の斜視図。
【図１２】実施例１にかかる、発熱体側面に側部フレームを組み付ける説明図。
【図１３】実施例１にかかる、端子保持部における、絶縁壁部と接続端子と側部フレームの当接状態を示す説明図。
【図１４】実施例１にかかる、図１３のＣ−Ｃ矢視断面図。
【図１５】実施例２にかかる、側部フレームを設ける前の発熱体の側面の説明図。
【図１６】実施例２にかかる、側部フレームを設けた発熱体の側面の説明図。
【図１７】実施例２にかかる、電気式ヒータの平面図。
【図１８】実施例２にかかる、電気式ヒータの発熱体積層方向の断面説明図。
【図１９】実施例２にかかる、電極板の端子部を示す説明図。
【図２０】実施例２にかかる、側部フレームを設けた他の発熱体の側面の説明図。
【図２１】実施例２にかかる、他の電極板の端子部を示す説明図。
【図２２】実施例２にかかる、他の電極板の端子部を示す斜視図。
【図２３】従来にかかる、電気式ヒータの展開説明図。
【符号の説明】
【００４４】
１  側部フレーム
２  電気式ヒータ
２１、２２  第１、第２保持フレーム
３  発熱体
３０３、３０４  側面
３１  電極板
３３０  発熱素子
５  絶縁性発熱素子保持具
５１  素子保持部
５２  端子保持部
５２１  絶縁壁部
５２０  板部
【図１】
2005108809.tif 000003
【図２】
2005108809.tif 000004
【図３】
2005108809.tif 000005
【図４】
2005108809.tif 000006
【図５】
2005108809.tif 000007
【図６】
2005108809.tif 000008
【図７】
2005108809.tif 000009
【図８】
2005108809.tif 000010
【図９】
2005108809.tif 000011
【図１０】
2005108809.tif 000012
【図１１】
2005108809.tif 000013
【図１２】
2005108809.tif 000014
【図１３】
2005108809.tif 000015
【図１４】
2005108809.tif 000016
【図１５】
2005108809.tif 000017
【図１６】
2005108809.tif 000018
【図１７】
2005108809.tif 000019
【図１８】
2005108809.tif 000020
【図１９】
2005108809.tif 000021
【図２０】
2005108809.tif 000022
【図２１】
2005108809.tif 000023
【図２２】
2005108809.tif 000024
【図２３】
2005108809.tif 000025